(57)【要約】【課題】入力画像と出力画像のアスペクト比が異なる場合に、違和感の少ない画像を出力する画像処理方法を提供すること。【解決手段】入力された入力画像の形状および大きさを変換するための画像処理方法であって、出力画像のアスペクト比に対して入力画像のアスペクト比が縦長になっている場合に、オーバースキャンを設定して画面の外周を切り捨てる設定をしたときに、水平方向の切り捨て量を、垂直方向の切り捨て量よりも少なくなるように設定するオーバースキャン設定部１２２と、オーバースキャン設定部１２２の設定に基づいて、画像の中央部分を取り出すオーバースキャン処理部１４２と、前記取り出した画像を、出力画像の大きさと合致するように拡大率を設定する拡大率設定部１２３と、拡大率設定部１２３で設定した拡大率で画像を拡大する画像拡大処理部１４３とを有する画像処理装置。【選択図】図１
2011205420.tif 000002
【特許請求の範囲】
【請求項１】
入力された入力画像の形状および大きさを変換して、所定の出力画像を出力するための画像処理方法であって、
オーバースキャンの比率を設定するオーバースキャン設定ステップと、
前記オーバースキャンの比率に基づいて画面の外周を切り捨てることにより、画像の中央部分を取り出すオーバースキャン処理ステップと、
前記取り出した画像が、前記出力画像の大きさと合致するように拡大率を設定する、拡大率設定ステップと、
前記拡大率設定ステップで設定した拡大率で、前記取り出した画像を拡大する画像拡大処理ステップと、
を備え、
前記オーバースキャン設定ステップにおいて、前記入力画像の外周の水平方向の切り捨て量を、垂直方向の切り捨て量よりも少なくなるように設定することを特徴とする画像処理方法。
【請求項２】
請求項１の画像処理方法において、
前記オーバースキャン設定ステップは、
垂直方向の切り捨て量を、前記オーバースキャンの比率に基づく量に一致する値に設定し、
水平方向の切り捨て量を、前記オーバースキャンの比率に基づく量よりも小さい値に設定することを特徴とする画像処理方法。
【請求項３】
請求項１または２に記載の画像処理方法において、
前記拡大率設定ステップは、
前記オーバースキャン処理ステップにおいて取り出した画像の外側の伸長率を、中央部分の伸長率よりも大きく設定して画像サイズを調整する場合に、前記取り出した画像の外側部分の水平方向の伸長率を、前記入力画像及び前記出力画像のアスペクト比の関係から決定される値よりも小さい値に設定することを特徴とする画像処理方法。
【請求項４】
入力された入力画像の形状および大きさを変換して、所定の出力画像を出力する画像処理装置であって、
オーバースキャンの比率を設定するオーバースキャン設定部と、
前記オーバースキャンの比率に基づいて画面の外周を切り捨てることにより、画像の中央部分を取り出すオーバースキャン処理部と、
前記取り出した画像が、前記出力画像の大きさと合致するように拡大率を設定する、拡大率設定部と、
前記拡大率設定ステップで設定した拡大率で、前記取り出した画像を拡大する画像拡大処理部と、を備え、
前記オーバースキャン設定部は、前記入力画像の外周の水平方向の切り捨て量を、垂直方向の切り捨て量よりも少なくなるように設定することを特徴とする画像処理装置。
【請求項５】
請求項４の画像処理装置において、
前記オーバースキャン設定部は、
垂直方向の切り捨て量を、前記オーバースキャンの比率に基づく量に一致する値に設定し、
水平方向の切り捨て量を、前記オーバースキャンの比率に基づく量よりも小さい値に設定することを特徴とする画像処理装置。
【請求項６】
請求項４または５に記載の画像処理装置において、
前記拡大率設定部は、
前記オーバースキャン処理部において取り出した画像の外側の伸長率を、中央部分の伸長率よりも大きく設定して画像サイズを調整する場合に、前記取り出した画像の外側部分の水平方向の伸長率を、前記入力画像及び前記出力画像のアスペクト比の関係から決定される値よりも小さい値に設定することを特徴とする画像処理装置。
【請求項７】
請求項１乃至３のいずれか一項に記載の画像処理方法をコンピューターに実行させるプログラム。
【請求項８】
請求項４乃至６のいずれか一項に記載の画像処理装置を備えたプロジェクター。
【発明の詳細な説明】
【技術分野】
【０００１】
本発明は、画像処理方法、画像処理装置、プログラム、およびプロジェクターに属するものである。
【背景技術】
【０００２】
ＮＴＳＣ方式では画像のアスペクト比が４：３であるが、ハイビジョン方式のテレビ放映や市販されているＤＶＤディスクやブルーレイディスクなどの画像ソフトウエアのアスペクト比は１６：９のため、地上デジタル対応のテレビ受像機やプロジェクターなどの表示装置では、アスペクト比が１６：９などの値に設定されている。そのため、アスペクト比が４：３の信号を入力して１６：９の表示装置に出力する場合には、表示される画像の左右に黒色を表示したり、アスペクト比が一致したりするように水平方向に画像を引き伸ばしている。
特許文献１では、アスペクト比が一致するように画像を引き伸ばすために、画像の中央部分は引き伸ばさないかわりに端部を大きく引き伸ばすことで、違和感を抑えようとしている。
【先行技術文献】
【特許文献】
【０００３】
【特許文献１】特開平７−３０３２４２号公報
【発明の概要】
【発明が解決しようとする課題】
【０００４】
しかしながら、画像を引き伸ばしてアスペクト比を一致させる方法を取った場合には、画面の左右に黒い帯が出ることはなくなるが、画像が水平方向に引き伸ばされた結果、大きく変形してしまうという問題がある。
また、前記特許文献１に記載の技術においては、画像の中央部分の違和感は回避できるものの、端部では大きく引き伸ばされるために違和感が残ってしまうという問題を有している。例えば文字を表示した際に、中央部分は正方形に表示されるが、端部に行くと横長になってしまう。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像処理方法は、入力された入力画像の形状および大きさを変換して、所定の出力画像を出力するための画像処理方法であって、オーバースキャンの比率を設定するオーバースキャン設定部と、前記オーバースキャンの比率に基づいて画面の外周を切り捨てることにより、画像の中央部分を取り出すオーバースキャン処理ステップと、前記取り出した画像が、前記出力画像の大きさと合致するように拡大率を設定する、拡大率設定ステップと、前記拡大率設定ステップで設定した拡大率で、前記取り出した画像を拡大する画像拡大処理ステップとを備え、前記オーバースキャン設定ステップにおいて、前記入力画像の外周の水平方向の切り捨て量を、垂直方向の切り捨て量よりも少なくなるように設定することを特徴とする。
【０００７】
本適用例によれば、出力画像のアスペクト比に対して入力画像のアスペクト比が縦長になっている場合に、オーバースキャンを設定して画面の外周を切り捨てる設定をしたときに、水平方向の切り捨て量を垂直方向の切り捨て量よりも少なくなるように設定して画像の中央部分を取り出すため、水平方向の拡大率と垂直方向の拡大率の差が小さくなり、これによって、変形の少ない画像を出力することが可能となる。なお、本発明では、切り捨て量が０の場合も切り捨て量に含むものとする。
【０００８】
［適用例２］上記適用例に記載の画像処理方法において、前記オーバースキャン設定ステップは、垂直方向の切り捨て量を、前記オーバースキャンの比率に基づく量に一致する値に設定し、水平方向の切り捨て量を、前記オーバースキャンの比率に基づく量よりも小さい値に設定することを特徴とする。
【０００９】
本適用例によれば、前記オーバースキャン設定で、垂直方向の切り捨て量は、オーバースキャンの設定で指定された比率と一致して、水平方向の切り捨て量は、オーバースキャンの設定で指定された比率よりも小さい値に設定するため、水平方向の拡大率と垂直方向の拡大率の差が小さくなり、これによって、変形の少ない画像を出力することが可能となる。
【００１０】
［適用例３］上記適用例に記載の画像処理方法において、前記拡大率設定ステップは、前記オーバースキャン処理ステップにおいて取り出した画像の外側の伸長率を、中央部分の伸長率よりも大きく設定して画像サイズを調整する場合に、前記取り出した画像の外側部分の水平方向の伸長率を、前記入力画像及び前記出力画像のアスペクト比の関係から決定される値よりも小さい値に設定することを特徴とする。
【００１１】
本適用例によれば、前記拡大率設定ステップで、画像外側の伸長率を中央部分の伸長率よりも大きく設定して画像サイズを調整する場合に、画像の外側部分の水平方向の伸長率を、入出力画像のアスペクト比の関係から決定される値よりも小さい値に設定するため、画像の外側部分の水平方向の拡大率と垂直方向の拡大率の差が小さくなり、これによって、変形の少ない画像を出力することが可能となる。
【００１２】
［適用例４］本適用例に係る画像処理装置は、入力された入力画像の形状および大きさを変換して、所定の出力画像を出力する画像処理装置であって、オーバースキャンの比率を設定するオーバースキャン設定部と、前記オーバースキャンの比率に基づいて画面の外周を切り捨てることにより、画像の中央部分を取り出すオーバースキャン処理部と、前記取り出した画像が、前記出力画像の大きさと合致するように拡大率を設定する、拡大率設定部と、前記拡大率設定ステップで設定した拡大率で、前記取り出した画像を拡大する画像拡大処理部と、を備え、前記オーバースキャン設定部は、前記入力画像の外周の水平方向の切り捨て量を、垂直方向の切り捨て量よりも少なくなるように設定することを特徴とする。
【００１３】
本適用例によれば、出力画像のアスペクト比に対して入力画像のアスペクト比が縦長になっている場合に、オーバースキャンを設定して画面の外周を切り捨てる設定をしたときに、水平方向の切り捨て量を垂直方向の切り捨て量よりも少なくなるように設定して画像の中央部分を取り出すため、水平方向の拡大率と垂直方向の拡大率の差が小さくなり、これによって、変形の少ない画像を出力することが可能となる。
【００１４】
［適用例５］上記適用例に記載の画像処理装置において、前記オーバースキャン設定部は、垂直方向の切り捨て量を、前記オーバースキャンの比率に基づく量に一致する値に設定し、水平方向の切り捨て量を、前記オーバースキャンの比率に基づく量よりも小さい値に設定することを特徴とする。
【００１５】
本適用例によれば、前記オーバースキャン設定で、垂直方向の切り捨て量は、オーバースキャンの設定で指定された比率と一致して、水平方向の切り捨て量は、オーバースキャンの設定で指定された比率よりも小さい値に設定するため、水平方向の拡大率と垂直方向の拡大率の差が小さくなり、これによって、変形の少ない画像を出力することが可能となる。
【００１６】
［適用例６］上記適用例に記載の画像処理装置において、前記拡大率設定部は、前記オーバースキャン処理部において取り出した画像の外側の伸長率を、中央部分の伸長率よりも大きく設定して画像サイズを調整する場合に、前記取り出した画像の外側部分の水平方向の伸長率を、前記入力画像及び前記出力画像のアスペクト比の関係から決定される値よりも小さい値に設定することを特徴とする。
【００１７】
本適用例によれば、前記拡大率設定手段で、画像外側の伸長率を中央部分の伸長率よりも大きく設定して画像サイズを調整する場合に、画像の外側部分の水平方向の伸長率を、入出力画像のアスペクト比の関係から決定される値よりも小さい値に設定するため、画像の外側部分の水平方向の拡大率と垂直方向の拡大率の差が小さくなり、これによって、変形の少ない画像を出力することが可能となる。
【００１８】
［適用例７］本適用例に係るプログラムは、上記適用例に記載の画像処理法方をコンピューターに実行させるプログラムであることを特徴とする。
【００１９】
本適用例によれば、水平方向の拡大率と垂直方向の拡大率の差が小さくなり、これによって、変形の少ない画像を出力することが可能となる。
【００２０】
［適用例８］本適用例に係るプロジェクターは、上記適用例に記載の画像処理装置を備えることを特徴とする。
【００２１】
本適用例によれば、水平方向の拡大率と垂直方向の拡大率の差が小さくなり、これによって、変形の少ない画像を出力することが可能となる。
【図面の簡単な説明】
【００２２】
【図１】本実施形態におけるプロジェクターの機能ブロック図。
【図２】従来の方法で画像の拡大処理をした場合の処理結果を示す図。
【図３】本実施形態におけるオーバースキャン、拡大処理の設定内容を示す説明図。
【図４】本実施形態において画像の拡大処理をした場合の処理結果を示す図。
【図５】入力画像を分割して拡大処理する場合の説明図。
【図６】入力画像を分割して拡大処理する場合で、本実施形態におけるオーバースキャン、拡大処理の設定内容を示す説明図。
【図７】入力画像を分割して拡大処理する場合で、本実施形態において画像の拡大処理をした場合の処理結果を示す図。
【図８】本実施形態において水平方向の切り捨て処理を追加した場合の設定内容を示す説明図。
【発明を実施するための形態】
【００２３】
以下、本発明をプロジェクターに適用した実施形態について、図面を参照しつつ説明する。なお、以下に示す実施形態は、特許請求の範囲に記載された内容をなんら限定するものではない。また、以下の実施形態に示す構成のすべてが、特許請求の範囲に記載された発明の解決手段として必須であるとは限らない。
【００２４】
（第１実施形態）
図１は、プロジェクター１００の機能ブロック図である。
【００２５】
プロジェクター１００は、リモコン（リモートコントローラー）またはプロジェクター１００本体の操作ボタンからの指示情報を受け付ける受付部１１０と、ＤＶＤプレーヤー等の外部電子機器から画像情報が入力される画像入力部１３０と、当該画像情報に対してアスペクト比変換やオーバースキャン、拡大処理などを行う画像処理部１４０と、画像処理部１４０からの画像情報に基づき画像を投写する投写部１５０を含んで構成されている。
【００２６】
また、プロジェクター１００は、受付部１１０からの設定および画像処理部１４０からの情報によって各種の判定や設定を行って情報を生成する情報生成部１２０を含んでいる。
情報生成部１２０は、出力画像のアスペクト比を設定するアスペクト比設定部１２１と、オーバースキャンの処理のための情報を設定するオーバースキャン設定部１２２と、拡大処理のための情報を設定する拡大率設定部１２３とを含んで構成されている。
画像処理部１４０は、入力画像のアスペクト比を判定するアスペクト比判定部１４１と、オーバースキャンの処理を行うオーバースキャン処理部１４２と、画像の拡大処理を行う画像拡大処理部１４３とを含んで構成されている。
【００２７】
なお、プロジェクター１００は、以下のハードウエアを用いてこれらの各部として機能させてもよい。例えばプロジェクター１００は、受付部１１０は受光ユニット等、情報生成部１２０はＣＰＵ等、画像入力部１３０は画像入力端子等、画像処理部１４０は画像処理回路等、投写部１５０はランプ、液晶パネル、液晶駆動回路、投写レンズなどを用いてもよい。なお、投写レンズは１枚のレンズであってもよいし、複数のレンズで構成されるレンズユニットであってもよい。
【００２８】
次にプロジェクター１００における画像処理について説明する。図２は従来の処理方法を用いた場合の入力画像と出力画像の関係を示している。アスペクト比が４：３の入力画像図２（ａ）に対して、出力画像のアスペクト比に単純に一致させるように拡大した場合を示す図２（ｂ）は、画像全体にわたって水平方向に引き伸ばされるため、画像が全体的に大きく変形する。図２（ｃ）は、特許文献１に記載の技術を用いた場合の出力画像であるが、画像の中央部分の違和感は回避できるものの、端部では大きく引き伸ばされるために違和感が残る。
【００２９】
本実施形態においては、入力画像の全体を対象にして拡大処理をするのではなく、オーバースキャンの処理によって切り捨てられる部分を利用することで、拡大処理の際の水平方向の拡大率と垂直方向の拡大率の差を減少させ、違和感を抑制する。
【００３０】
具体的には、アスペクト比判定部１４１において、入力画像のアスペクト比を判定し、所定の出力画像のアスペクト比、すなわち投写部のアスペクト比と同一かどうかを判定する。ここで入力画像のアスペクト比が出力画像のアスペクト比よりも縦長であると判定された場合に、情報生成部１２０に対して、アスペクト比を設定可能であることを示す、アスペクト比設定可能情報を出力する。
情報生成部１２０では、アスペクト比設定可能情報が入力されたときに、入力画像のアスペクト比を変換せずに出力画像の中央に配置する（図２（ｄ））か、出力画像と一致するように変換するか（図２（ｂ）および（ｃ））を選択できる。
【００３１】
また画像処理部１４０は、アスペクト比の変換だけでなく、オーバースキャン処理部１４２においてオーバースキャンの機能を有している。オーバースキャンとは入力画像に対して所定の割合で外周部を切り捨てて、画像の中央部分を取り出す処理である。
情報生成部１２０には、オーバースキャン設定部１２２があり、オーバースキャンの際に切り捨てる量を設定することができる。
図３（ａ）に、一般的なオーバースキャンの設定を、図３（ｂ）に本実施形態のオーバースキャン設定部１２２の設定を、入力画像サイズが横１０２４ピクセル縦７６８ラインの場合を例にして示す。
図３（ａ）に示すように、一般的にオーバースキャンの処理では画像の水平および垂直の各方向に対して、同一の比率で切り捨てている。例えば、１０２４×７６８のサイズの画像に対し、オーバースキャン設定が２％の時、水平切り捨て量は１０２４×０．０２／２＝１０．２４となり、左右各１０ずつ切り捨てることになり、垂直切り捨て量は７６８×０．０２／２＝７．６８となり、上下各８ずつ切り捨てることになる。それに対し、本実施形態におけるオーバースキャン設定部１２２では、図３（ｂ）に示すように、垂直方向には所定の分量を切り捨てる一方で水平方向には切り捨てしないように設定を行う。そして、オーバースキャン処理部１４２では、オーバースキャン設定部１２２で設定した分量だけ、入力映像の外周を切り捨てる処理を行う。
なお、画像の左右の切り捨て量が本発明の水平方向切り捨て量に相当し、画像の上下の切り捨て量が本発明の垂直方向の切り捨て量に相当する。
【００３２】
図４（ａ）〜（ｃ）は、入力画像と、その画像に対しオーバースキャンの処理をした画像の例である。図４（ａ）に示す画像に対し、一般的なオーバースキャン処理では図４（ｂ）に斜線で示したように、画像のアスペクト比が変化せずに画像の外周が切り捨てられるが、本実施形態におけるオーバースキャン処理では、図４（ｃ）に斜線で示したように、垂直方向だけに対して切り捨てを行ったために、画像のアスペクト比は横長に変化する。
【００３３】
拡大率設定部１２３では、オーバースキャン処理によって外周部を切り捨てた画像に対して、出力画像サイズに適合するように拡大率を設定する。図３（ａ）には一般的な方法を用いた場合の拡大率を、図３（ｂ）には本実施形態における拡大率設定部１２３の場合の拡大率を示す。
図４（ｄ）〜（ｅ）は、オーバースキャンした画像を拡大した、拡大画像を示す図である。本実施形態の拡大率設定部１２３では、オーバースキャンした場合の水平方向の拡大率と垂直方向の拡大率の比率が、一般的な設定と比較してより１に近い値となっており、図４（ｄ）に示した一般的な設定の場合と、図４（ｅ）に示した本実施形態の場合との比較でわかるように、画像拡大処理部１４３を通して画像を拡大処理したときの違和感が軽減される。
【００３４】
（第２実施形態）
上記実施形態では、オーバースキャンを行って画像の外周部を切り捨てた画像に対して、一律に拡大処理を行っているが、本実施形態では、拡大率設定部１２３にて中央部分の拡大率を小さく、端部の拡大率を大きく設定する。この場合には、オーバースキャン設定部１２２では図３（ｂ）に示したオーバースキャン設定のとおりに処理を行うが、拡大率設定部１２３では、図５に示すように画像を分割してその分割した領域ごとに拡大率を設定する。
【００３５】
図５は、入力画像を８個の領域に等分割した場合の分割例を示す。また図６は、各分割領域における、拡大前の水平幅及び垂直高、拡大後の水平幅及び垂直高、水平方向の拡大率、垂直方向の拡大率、水平方向の拡大率と垂直方向の拡大率の比を示す表である。
図６（ａ）は、オーバースキャンの処理を行わない場合の各分割領域の拡大率を示す。図６（ｂ）および（ｃ）は、オーバースキャンの設定が８％の場合を例にとって、図６（ｂ）には、一般的な方法でオーバースキャンによって水平方向、垂直方向に同一の比率で切り捨てを行う場合の各分割領域の拡大率を、図６（ｃ）には、本実施形態のオーバースキャン設定部１２２によって入力画像の垂直方向のみ切り捨てを行った場合の、各分割領域の拡大率を示す。
【００３６】
画像を複数の領域に分割して、画像の端部に位置する領域の拡大率を、画像の中央に位置する領域の拡大率よりも大きくすると、画像の端部の変形が顕著になるため、その違和感を緩和するために、本実施形態の拡大率設定部１２３では、分割された領域の端部の拡大率を、一般的な方法に比べて緩和するように拡大率を設定している。
【００３７】
図６（ａ）に示したように、オーバースキャン処理をしない場合には、画像の左右の端部（図６の表では領域番号１と８）では水平拡大率と垂直拡大率の比が１．６１倍になり、画像が大きくゆがんでしまう。図６（ｂ）に示したように、一般的なオーバースキャンの方法では、オーバースキャン処理をしない場合と同様、領域１と８の水平拡大率と垂直拡大率の比が１．６１倍となり、画像のゆがみ度合いは変わらない。
これらに対して本実施形態のオーバースキャン設定部１２２、オーバースキャン処理部１４２、拡大率設定部１２３では、図６（ｃ）に示すように、領域１と８の水平拡大率と垂直拡大率の比が１．３８倍となり、画像のゆがみ度合いを緩和して、違和感を抑えることができる。
【００３８】
図７（ａ）、（ｂ）、（ｄ）には、一般的なオーバースキャンの方法によって入力画像の水平方向、垂直方向に同一の比率で切り捨てをして、領域毎に拡大率を設定して拡大した場合の処理結果を示し、図７（ａ）、（ｃ）、（ｅ）には本実施形態のオーバースキャン設定部１２２および拡大率設定部１２３にて処理を行った結果を示す。図７に示したように、一般的な方法で問題となっていた、画像の端部の違和感が緩和される。
【００３９】
（変形例）
上記実施形態では、オーバースキャン処理の際の水平方向の切り捨て量を０に設定しているが、オーバースキャン処理には、入力画像の外周近くにあるノイズなどを消すという目的がある。本発明の実施にあたっては、オーバースキャン処理時の水平方向の切り捨て量を必ずしも０にする必要はなく、垂直方向の切り捨て量と水平方向の切り捨て量を比較して、水平方向の切り捨て量の画面全体に対する比率が垂直方向よりも小さくなっていればよい。
一例として図８に、各オーバースキャン設定において、水平方向の切り捨て量を垂直方向の切り捨て量の半分の比率になるように設定した場合の、水平及び垂直方向の切り捨て量、処理後の画像サイズ及びアスペクト比、水平及び垂直拡大率、水平拡大率と垂直拡大率の比を示した。図８に示したように、オーバースキャンの設定をしているときに、図３（ａ）の一般的なオーバースキャンに比べて、水平拡大率と垂直拡大率の比がより１に近くなって、出力画像の違和感を抑えることができる。
【００４０】
なお、この発明は上記の実施形態や変形例に限られるものではなく、その要旨を逸脱しない範囲において種々の態様において実施することが可能であり、例えば次のような変形も可能である。
【００４１】
上記実施形態において、ハードウエアによって実現されていた構成の一部をソフトウエアに置き換えるようにしてもよく、逆にソフトウエアによって実現していた構成の一部をハードウエアに置き換えるようにしてもよい。
【００４２】
また、上記実施形態では、オーバースキャン設定部１２２、拡大率設定部１２３はあらかじめ設定されたテーブル（図３，図６，図８）を用いて、オーバースキャン設定および拡大率設定を行っていた。しかし、これらの画像処理部１４０では、あらかじめ準備された関数を用いてオーバースキャンと拡大率を決定するものとしてもよい。
【００４３】
上記実施形態では、画像表示装置はプロジェクター１００として構成されていた。しかし画像表示装置は、他の表示手段によって画像を表示する画像表示装置として構成されるものとしてもよい。例えば、画像表示装置は、液晶ディスプレイやプラズマディスプレイとして構成されるものとしてもよい。また、画像表示装置は液晶パネルに換えて、ディジタル・マイクロミラー・デバイス（Digital Micromirror Device）を偏光手段として用いるものとしてもよい。
【符号の説明】
【００４４】
１００…画像表示装置、１１０…受付部、１２０…情報生成部、１２１…アスペクト比設定部、１２２…オーバースキャン設定部、１２３…拡大率設定部、１３０…画像入力部、１４０…画像処理部、１４１…アスペクト比判定部、１４２…オーバースキャン処理部、１４３…画像拡大処理部、１５０…投写部。
【図１】
2011205420.tif 000003
【図２】
2011205420.tif 000004
【図３】
2011205420.tif 000005
【図４】
2011205420.tif 000006
【図５】
2011205420.tif 000007
【図６】
2011205420.tif 000008
【図７】
2011205420.tif 000009
【図８】
2011205420.tif 000010